(57)【要約】      （修正有）【課題】ロック機構が簡略化されて製作加工コストが節減でき、ロック機構の操作も簡単であるロック機構付きステ−装置を提供する。【解決手段】筐体１または扉の一方に固着される第一の取付ベース３と、筐体１または扉の他方に固着される第二の取付ベース４と、第一の取付ベース３に第一の枢軸５によって基端部を回転可能に連結された第一のアーム６と、第二の取付ベース４に第二の枢軸７によって基端部を回転可能に連結された第二のアーム８とから成る。第一のアーム６の先端部にロックピン９を設け、扉が開放位置にあるとき、前記ロックピン９が係合するロック孔を第二のアーム８の中間部に設け、前記ロックピン９とロック孔の係合が解除される程度に第一のアーム６が第二のアーム８に対して傾斜するように、第三の枢軸１１によって第一のアーム６の中間部を第二のアーム８の先端部を回転可能に連結する。【選択図】図２
2008031761.tif 000002
【特許請求の範囲】
【請求項１】
筐体１または扉２の一方に固着される第一の取付ベース３と、
筐体１または扉２の他方に固着される第二の取付ベース４と、
第一の取付ベース３に第一の枢軸５によって基端部を回転可能に連結された第一のアーム６と、
第二の取付ベース４に第二の枢軸７によって基端部を回転可能に連結された第二のアーム８とから成り、
第一のアーム６の先端部にロックピン９を設け、扉２が開放位置にあるとき、前記ロックピン９が係合するロック孔１０を第二のアーム８の中間部に設け、
前記ロックピン９とロック孔１０の係合が解除される程度に第一のアーム６が第二のアーム８に対して傾斜するように、第三の枢軸１１によって第一のアーム６の中間部を第二のアーム８の先端部を回転可能に連結したロック機構付きステー装置。
【請求項２】
第一のアーム６に対向する第三の枢軸１１の頭部座面１１ａを円錐形断面に形成することによって、第一のアーム６を第二のアーム８に対して傾斜させるようにしたことを特徴とする請求項１に記載のロック機構付きステー装置。
【請求項３】
第一のアーム６が第二のアーム８に対して開放方向に回転するとき、前記ロックピン９が接近する側にある第二のアーム８の側辺部に、前記ロックピン９の先端を第二のアーム８に乗り上らせるガイド１２を前記側辺部より張り出して設けたことを特徴とする請求項２に記載のロック機構付きステー装置。
【請求項４】
前記ロックピン９が前記ロック孔１０に整合した位置において、第二のアーム８に対する第一のアーム６の回転を制止させるストッパー１３を第一のアーム６または第二のアーム８に設けたことを特徴とする請求項２から請求項３のいずれかに記載のロック機構付きステー装置。
【発明の詳細な説明】
【技術分野】
【０００１】
本発明は、ヒンジ軸を中心に筐体に対して所定角度まで開放した扉を、当該開放位置に停止保持するためのロック機構付きステー装置に関するものである
【背景技術】
【０００２】
基端部が筐体に枢着されるアームと、長さ方向に沿ってスロットが形成され、扉に固定されるレールと、前記アームの先端部に装着され、扉の開閉に伴って前記スロットに沿って摺動するスライダとからなるステー装置では、アームを扉開放位置において係止ロックする手段として、スライダの先端部に停止レバーの基端部を偏心枢軸によって枢着し、扉の開閉過程においては、偏心枢軸からの距離が短い停止レバーの一方の基端部側面をアームに対面させ、扉を開放位置に停止保持するときには、偏心枢軸からの距離が長くなっている停止レバーの他方の基端部側面をアームに突き当て、スライダとレール又はアームとの間に挿入したバネを弾性変形させている（特許文献１参照）。
【０００３】
このようなロック機構付きステー装置では、上記バネ圧によるレールに対するアームの係止ロックを実行または解除するときには、停止レバーを偏心枢軸の周りに半回転させなければならず、停止レバーが配置されるレールの下部側空間または上部側空間には、停止レバーの回転操作に必要充分な余裕空間を確保する必要がある。
【０００４】
しかしながら、筐体への物品の格納状況によっては、上記操作用空間の確保が困難となってしまう場合があり、また、上記操作用空間の確保を考慮すると、結果として利用可能な筐体の内部スペースが一部減殺されてしまうことがある。
【０００５】
アームを扉開放位置に係止ロックするロック機構を付設してあっても、筐体の利用可能な内部スペースを減殺することがないものとして、次の構成のロック機構付きステ−装置も提案されている（特許文献２参照）。
このロック機構付きステー装置は、基端部が枢軸によって筐体に枢着されるアームと、長さ方向に沿ってスロットが形成され、扉に固定されるレールと、前記アームの先端部に装着され、扉の開閉に伴って前記スロット内を摺動するスライダとからなり、扉の開閉過程において前記レールの側面に沿って摺動するロックリングを前記スライダに嵌め合せ、前記スライダに装備したバネ部材によって前記アームを前記レール側に引き寄せ、扉の開放端において前記バネ部材の付勢によって前記ロックリングを前記スロットの基端側の拡大部に係合させて、扉を当該開放位置に停止させるようにしたものである。
【０００６】
しかしながら、この改良されたロック機構付きステ−装置でも、前記スライダが前記レール４の下面側に一定長さ突出するものであるため、内部スペースの減殺の抑制には自ずと限界があり、また、ロック機構が前記スライダとロックリングとバネ部材と座盤リングによって構成されており、部品点数が多いため、製作加工コストの節減にも限界がある。また、腐食や経年変化によるバネ特性の劣化の可能性あるバネ部材を使用しているため、長寿命化の点で難点がある。
【０００７】
【特許文献１】実公平５−１３８８６号公報
【特許文献２】特開２００５−２２０５６４号公報
【発明の開示】
【発明が解決しようとする課題】
【０００８】
本発明の課題は、ロック機構が簡略化されて製作加工コストが節減でき、ロック機構の操作も簡単であり、長寿命化も可能であるロック機構付きステ−装置を提供することである。
【課題を解決するための手段】
【０００９】
請求項１の発明のロック機構付きステ−装置は、筐体１または扉２の一方に固着される第一の取付ベース３と、筐体１または扉２の他方に固着される第二の取付ベース４と、第一の取付ベース３に第一の枢軸５によって基端部を回転可能に連結された第一のアーム６と、第二の取付ベース４に第二の枢軸７によって基端部を回転可能に連結された第二のアーム８とから成り、
第一のアーム６の先端部にロックピン９を設け、扉２が開放位置にあるとき、前記ロックピン９が係合するロック孔１０を第二のアーム８の中間部に設け、前記ロックピン９とロック孔１０の係合が解除される程度に第一のアーム６が第二のアーム８に対して傾斜するように、第三の枢軸１１によって第一のアーム６の中間部を第二のアーム８の先端部を回転可能に連結したものである。
【００１０】
請求項２の発明のロック機構付きステ−装置は、請求項１の発明の前記構成に加えて、第一のアーム６に対向する第三の枢軸１１の頭部座面１１ａを円錐形断面に形成することによって、第一のアーム６を第二のアーム８に対して傾斜させるようにしたものである。
【００１１】
請求項３の発明のロック機構付きステ−装置は、請求項１または請求項２の発明の前記構成に加えて、第一のアーム６が第二のアーム８に対して開放方向に回転するとき、前記ロックピン９が接近する側の第二のアーム８の側辺部に、前記ロックピン９の先端を第二のアーム８に乗り上らせるガイド１２を前記側辺部より張り出して設けたものである。
【００１２】
請求項４の発明のロック機構付きステ−装置は、請求項１から請求項３のいずれかの発明の前記構成に加えて、前記ロックピン９が前記ロック孔１０に整合した位置において、第二のアーム８に対する第一のアーム６の回転を制止させるストッパー１３を第一のアーム６または第二のアーム８に設けたものである。
【発明の効果】
【００１３】
請求項１の発明のロック機構付きステ−装置では、第一のアーム６と第二のアーム８を所定の開放位置に停止保持するためのロック機構は、第一のアーム６の先端部に設けたロックピン９と第二のアーム８の中間部に設けたロック孔１０のみによって構成されており、部品点数は極限まで減らされているから、製作加工コストの大幅な節減が可能である。
また、ロックピン９とロック孔１０の係合状態の保持は、第一のアーム６が自己の重量によって第二のアーム８上面に載せ置かれることによってなされ、バネ部材を一切採用していないため、バネ部材の腐食や特性劣化に由来する耐久性の低下がなく、長寿命化を達成することができる。
【００１４】
ロックピン９とロック孔１０の係合状態の解除は、第一のアーム６の基端部側を作業員が靴先で踏むことによって、第三の枢軸１１を基点として第二のアーム６の先端部側を斜めに持ち上げるか、第二のアーム８の基端部側を作業員が靴先で踏むことによって、第二のアーム８の先端部側を押し下げることによって行われるものであるから、ステ−装置の解除操作が簡単になされる。
【００１５】
請求項２の発明のロック機構付きステ−装置では、請求項１の発明の前記効果に加えて、第一のアーム６に対向する第三の枢軸１１の頭部座面１１ａを円錐形断面に形成してあるため、第一のアーム６と第二のアーム８間の傾斜動作が円滑かつ的確になされる。
一般のステ−装置ではアーム部部材同士の連結に当たっては、プレス機によって軸線方向に加圧して枢軸端部を圧潰変形させる、所謂加締め工法が採用されているが、請求項２の発明では枢軸１１の頭部座面１１ａを予め円錐形断面に形成してあり、加圧後においても前記円錐形断面が残るようになっているため、加締め工法に実施に当たって加圧力を微細に調整する必要なく、加締めによる連結作業を作業能率よく進めることができる。
【００１６】
請求項３の発明のロック機構付きステ−装置では、請求項１および請求項２の発明の前記効果に加えて、第一のアーム６のロックピン９が接近する側の第二のアーム８の側辺部に、ロックピン９の先端が第二のアーム８に乗り上るように誘導すガイド１２を張り出して設けてあるため、第一のアーム６が第二のアーム８に対して開放方向に回転するとき、ロックピン９とロック孔１０の係合動作が円滑かつ自動的になされる。
【００１７】
請求項４の発明のロック機構付きステ−装置では、請求項１から請求項３のいずれかの発明の前記効果に加えて、ロックピン９がロック孔１０に整合した位置において、第二のアーム８に対する第一のアーム６の回転を制止させるストッパー１３を、第一のアーム６または第二のアーム８に設けてあるため、第一のアーム６が第二のアーム８からオーバーランすることがなく、ロックピン９とロック孔１０の係合動作が円滑かつ自動的になされる。
【実施例】
【００１８】
図示の実施例では、第一の取付ベース３は、両端部に取付孔１４を設けた金属板で構成され、中央部の台形状隆起部に第一の枢軸５が嵌挿される軸孔１５を設けてある。第一の取付ベース３は、取付孔１４を通るビスなどの固着具によって筐体１の底板部に固着される。
第二の取付ベース４は、両端部に取付孔１６を設けた金属板で構成され、中央部の折曲げ板部に第二の枢軸７が嵌挿される軸孔１７を設けてある。第二の取付ベース４は、取付孔１６を通るビスなどの固着具によって扉２の側面部に固着される。
【００１９】
第一の枢軸５は、金属板製である第一のアーム６の基端部の軸孔１８から第一の取付ベース３の軸孔１５に挿入され、先端部を加締めることによって軸孔１８，１５からの抜脱を阻止されている。第一の取付ベース３と第一のアーム５との間には樹脂製ワッシャー１９が介在している。
第二の枢軸７は、金属板製である第二のアーム８の基端部の軸孔２０から第二の取付ベース４の軸孔１７に挿入され、先端部を加締めることによって、軸孔２０，１７からの抜脱を阻止されている。第二の取付ベース４と第二のアーム８との間には樹脂製ワッシャー２１が介在している。
第一の枢軸５の頭部座面５ａは、第一のアーム６の上面に面全体で接触している。第二の枢軸７の頭部座面７ａは、第二のアーム８の上面に面全体で接触している。
【００２０】
第三の枢軸１１は、第一のアーム６の中間部の軸孔２２から第二のアーム８の先端部の軸孔２３に挿入され、先端部を加締めることによって、軸孔２２，２３からの抜脱を阻止されている。第一のアーム６と第二のアーム８との間には樹脂製ワッシャー２４が介在している。第三の枢軸１１の円錐形断面の頭部座面１１ａは、縮径された下端が第一のアーム６の上面より突き出た位置にある。
ここで中間部とは、基端部と先端部の間にある部分という意味で使用しており、アーム６の長さの二分の一の点に軸孔２１は枢軸１１が存在しているという意味ではない。
金属製のロックピン９は、第一のアーム６の先端部に形成した受孔２５に嵌挿され、先端部を加締めることによって、受孔２５からの抜脱を阻止されている。
【００２１】
ガイド１２は、第二のアーム８の中間部に第二のアーム８と一体に形成されており、第二のアーム８の上面に側縁部から斜め下向きに張り出している。本実施例では、ガイド１２は第二のアーム８の両側に対称位置に一対形成されている。そのため第二のアーム８は、扉２が左開き回転型に構成された筐体１と、扉２が右開き回転型に構成された筐体１のいずれにも適用できるようになっている。
ここで中間部とは、基端部と先端部の間にある部分という意味で使用しており、アーム８の長さの二分の一の点にガイド１２やロック孔１０が存在するという意味ではない。
扉２が開放方向に回転させられたとき、第一のアーム６が第二のアーム８に対して相対的に回転し、ロックピン９の先端がガイド１２の傾斜上面に突き当たることによって、ロックピン９がガイド１２に沿って持ち上げられ、これに伴って第一のアーム６が第二のアーム８に対して面方向において傾斜する。      
【００２２】
ヒンジ軸２９を中心として扉２が所定の開放位置まで開放されたとき、第一のアーム６と第二のアーム８の相対回転は、ストッパー１３によって阻止され、第一のアーム６が自重によって下降することによって、ロックピン９がロック孔１０に係合する。
ストッパー１３は断面Ｌ字状の金属板で構成され、基部の取付孔２９を通るビス２６によって第一のアーム６に固着されており、折曲げ板部１３ａが第一のアーム６の下面側に突き出ている。ビス２６がねじ込まれるビス孔２７は、第一のアーム６の長さ方向中心線上に配置されている。そのため、ビス２６を外してストッパー１３の向きを１８０度反転することによって、第一のアーム６は、扉２が左開き回転型に構成された筐体１と、扉２が右開き回転型に構成された筐体１のいずれにも適用できるようになっている。
【図面の簡単な説明】
【００２３】
【図１】本発明の一実施例にロック機構付きステー装置の進展状態の平面図であり、ロックピンがロック孔に係合している。
【図２】図１のロック機構付きステー装置の正面図である。
【図３】図１のロック機構付きステー装置の屈曲状態の平面図であり、ロックピンはロック孔から抜脱している。
【図４】図１のＡ−Ａ線断面図であり、第一の取付ベースと第一のアームとの連結構造を示している。
【図５】図１のＢ−Ｂ線断面図であり、第二の取付ベースと第二のアームとの連結構造を示している。
【図６】図１のＣ−Ｃ線断面図であり、第一のアームと第二のアームとの連結構造を示している。
【図７】図２のＤ−Ｄ線断面図であり、第二のアームに設けたガイドの形態を示している。
【図８】図２のＥ−Ｅ線断面図であり、第一のアームに設けたストッパーの形態を示している。
【符号の説明】
【００２４】
１  筐体
２  扉
３  第一の取付ベース
４  第二の取付ベース
５  第一の枢軸
５ａ  第一の枢軸の頭部座面
６  第一のアーム
７  第二の枢軸
７ａ  第二の枢軸の頭部座面
８  第二のアーム
９  ロックピン
１０  ロック孔
１１  第三の枢軸
１１ａ  第三の枢軸の頭部座面
１２  ガイド
１３  ストッパー
１４  第一の取付ベースの取付孔
１５  第一の取付ベースの軸孔
１６  第二の取付ベースの取付孔１
１７  第二の取付ベースの軸孔
１８  第一のアームの基端部の軸孔
１９  樹脂製ワッシャー
２０  第二のアームの基端部の軸孔
２１  樹脂製ワッシャー
２２  第一のアームの中間部の軸孔
２３  第二のアームの先端部の軸孔
２４  樹脂製ワッシャー
２５  第一のアームの先端部の受孔
２６  ストッパー用ビス
２７  第一のアームのビス孔
２８  ストッパーの取付孔
２９  扉のヒンジ軸
【図１】
2008031761.tif 000003
【図２】
2008031761.tif 000004
【図３】
2008031761.tif 000005
【図４】
2008031761.tif 000006
【図５】
2008031761.tif 000007
【図６】
2008031761.tif 000008
【図７】
2008031761.tif 000009
【図８】
2008031761.tif 000010